(57)【要約】      （修正有）【課題】液体がエア通路を経て加湿器に直接に流入するのを回避し、且つ水中の鉱物質と金属とを除去可能にする。【解決手段】内部には、磁性体を収容する収容空間が設けてあり、その外壁と収容空間との間には環状壁が形成してあり、その頂端と接触しないように環状壁の上縁をより低くし、環状壁の内外側には、イオン交換樹脂が充填された流通経路が形成してあり、その外側の下には流入口が開設してあり、その内側の下には流出口が開設してある加湿器用ろ過構造。【選択図】図３
0003133012.tif 000002
【実用新案登録請求の範囲】
【請求項１】
フィルタを備えた加湿器のろ過構造であって、
フィルタの内部には、磁性体を収容する収容空間が設けてあり、
フィルタの外壁と前記収容空間との間には環状壁が形成してあり、
前記環状壁の上縁がフィルタの頂端と接触しないように低くしてあり、
前記環状壁の内外側には、イオン交換樹脂を充填した流通経路が形成してあり、
フィルタの外側の下には流入口が開設してあり、
フィルタの内側の下には流出口が開設してあることを特徴とする、
加湿器用ろ過構造。
【請求項２】
フィルタの上端にはカバーが被られていて、前記カバーには収容空間に応じて脱着可能な自在カバーが設けてあることを特徴とする、請求項１に記載の加湿器用ろ過構造。
【考案の詳細な説明】
【技術分野】
【０００１】
本考案は、加湿器用ろ過構造に係り、特に、ろ過されている液体がエア通路を経て加湿器に直接に流入することを回避できて、且つ水中の鉱物質と金属とを除去可能な加湿器用ろ過構造に関するものである。
【背景技術】
【０００２】
現在、高密封化する住宅において、冷暖房の普及に伴い室内の空気が低湿度化する傾向にある。
このような低湿度の空気が人体の健康に対して悪影響を及ぼすのを回避するために、加湿装置が使用されている。
一般的に加湿装置は、内部に貯留している水を熱で加熱し、発生した水蒸気を室内に拡散させて、室内の湿度を増加している。
【０００３】
次に、図６を参照しながら従来の加湿装置４の構成を詳細に説明する。
従来の加湿装置４は、主に、水等の液体を貯留するタンク４１と、前記タンク４１の内部に設置されるろ過コア４２と、を含む。
前記ろ過コア４２は、イオン交換樹脂を充填するための充填部４３と、エアを流通するためのエア流路４４と、液体をろ過コア４２の外部からろ過コア４２の内部に導入するための液体導入口４５と、を有する。
前記エア流路４４は、イオン交換樹脂が充填していない箇所に設けられ、前記ろ過コア４２の外部と連通しているエア出口４６を有する。
前記エア出口４６は、前記液体導入口４５と同じ高さの箇所に、又は前記液体導入口４５よりやや高い箇所に設けられる。
前記エア出口４６には少なくとも一つの流通穴４６１が設けてあり、前記流通穴４６１は、液体の流通を規制し、且つ前記エア流路４４の内部のエアをろ過コア４２の外部に流出可能にするためのものである。
また、前記ろ過コア４２が水等の液体を貯留するタンク４１の排水口４１１の上に組付けられる。
【考案の開示】
【考案が解決しようとする課題】
【０００４】
しかしながら、従来の加湿装置は、内部に貯留している水を熱で加熱して、発生された水蒸気が室内に拡散して、室内の湿度を増加するが、そのろ過コア４２は単純にイオン交換樹脂により水中の鉱物質をろ過するだけであるので、ろ過効果が良くない。
さらに、エアを流通するエア通路とエア出口４６と流通穴４６１とがろ過コア４２に設けられ、且つ液体を導出するための排水口４１１と連通するので、水等の液体を前記タンク４１に注入しているときに、ろ過されていない液体が流通穴４６１とエア出口４６とからエア通路４４を経てタンク４１の排水口４１１に直接に流入し易い。
そのため、加湿装置の内部のヒータで加熱して液体を加熱すると、炭酸物質がヒータや管路に付着する。
ヒータや管路に付着した炭酸物質を除去することが極めて不便であり、且つ長期間に亘ってヒータや管路に付着した炭酸物質の除去せずに放置すると、ヒータが損壊したり、管路が閉塞してりする問題があった。
【課題を解決するための手段】
【０００５】
上記目的を達成するためになされた本願の第１考案は、フィルタを備えた加湿器のろ過構造であって、フィルタの内部には、磁性体を収容する収容空間が設けてあり、フィルタの外壁と前記収容空間との間には環状壁が形成してあり、前記環状壁の上縁がフィルタの頂端と接触しないように低くしてあり、前記環状壁の内外側には、イオン交換樹脂を充填した流通経路が形成してあり、フィルタの外側の下には流入口が開設してあり、フィルタの内側の下には流出口が開設してあることを特徴とする、加湿器用ろ過構造であることを要旨とする。
【０００６】
本願の第２考案は、フィルタの上端にはカバーが被られていて、前記カバーには収容空間に応じて脱着可能な自在カバーが設けてあることを特徴とする、前記第１考案に記載の加湿器用ろ過構造であることを要旨とする。
【考案の効果】
【０００７】
本考案の加湿器用ろ過構造によれば、ろ過される液体がエア通路を経て加湿器に直接に流入することを回避でき、且つ水中の鉱物質と金属とを除去可能となるという効果が得られる。
【考案を実施するための最良の形態】
【０００８】
以下、添付した図面を参照しながら本考案の好適な実施の形態を詳細に説明する。
【０００９】
まず、図１を参照する。図１は加湿器の全体構成を示す断面概略図である。
本考案の加湿器用ろ過構造は、加湿器の内部に水等の液体を貯留するタンク１が設けてある。
前記タンク１の内部には、エア通路２と、フィルタ３とが別々に設けてある。
【００１０】
次に、図２と図３を参照する。図２は本考案のフィルタの構成を示す斜視図であり、図３は本考案のフィルタの構成を示す側面断面図である。
フィルタ３は、上端にカバー３１が被ってある。その内部には、磁性体３２１を収容する収容空間３２が設けてあり、その外壁と前記収容空間３２との間には環状壁３３が形成してある。
フィルタ３のカバー３１の頂端と接触しないように前記環状壁３３の上縁が低くしてある。
前記環状壁３３の内外側には、イオン交換樹脂３４１を充填した流通経路３４が形成してある。
フィルタ３は、その外側の下に流入口３５が開設してあり、内側の下に流出口３６が開設してある。
【００１１】
図４を参照する。図４は本考案のフィルタの別の実施例の分解斜視図である。
フィルタ３の上端にはカバー３１が被っている。
前記カバー３１には前記収容空間３２に応じて脱着可能な自在カバー３１１が設けてある。
すなわち、カバー３１は、固定の密封部材でもよいし、ユーザが開放可能な部材でもよい。
脱着可能な自在カバー３１１を設けることにより、フィルタ３の内部に設置される磁性体３２１等のろ過材の交換が容易になる。
【００１２】
次に、図５を参照する。図５は本考案の使用状態を示す端面断面図である。
上記した構成によれば、加湿器の貯水槽１の内部に貯留した水は、エア通路２により加湿器の内部で対流するようになる。
そして加湿器の貯水槽１の内部に貯留する水は、フィルタ３の外側の下に開設された流入口３５から流通経路３４に流入することになる。
前記流通経路３４に設けたイオン交換樹脂３４１により、流入した水中に含まれる鉱物質を除去すると共に、水が収容空間３２の外壁を通過しているときに、収容空間３２内に設置された磁性体３２１により水中の金属物質が吸着される。
鉱物質や金属物質が除去された水は、フィルタ３の内側の下に開設された流出口３６から外部に流出する。
【００１３】
上記したように本考案は、加湿器の貯水槽の内部にエア通路とフィルタとを別々に設置することで、ろ過する液体がエア通路を経て加湿器に直接に流入することが回避できるとともに、フィルタの流通経路に設けたイオン交換樹脂により水中の鉱物質を除去し、収容空間内に充填した磁性体により水中の金属を除去できるので、炭酸物質の管路への付着がなくなるだけでなく、水がろ過されて綺麗になる。
【００１４】
以上の記載は実施の形態の一例を説明するための記載であって、本考案はこれらの実施の形態の記載に限定されるものではなく、当業者が本考案の精神および範囲を逸脱することなく、実施の形態の変更、追加、または、削除を施したものも本考案に含まれることは勿論である。
【図面の簡単な説明】
【００１５】
【図１】本考案の全体構成を示す断面概略図である。
【図２】本考案のフィルタの構成を示す斜視図である。
【図３】本考案のフィルタの構成を示す側面断面図である。
【図４】本考案のフィルタの別の実施例の分解斜視図である。
【図５】本考案の使用状態を示す端面断面図である。
【図６】従来のものの構成を示す概略図である。
【符号の説明】
【００１６】
１        貯水槽           
２        エア通路
３        フィルタ         
３１      カバー
３１１    自在カバー       
３２      収容空間
３２１    磁性体           
３３      環状壁
３４      流通経路         
３４１    イオン交換樹脂
３５      流入口           
３６      流出口
４        加湿装置         
４１      タンク
４１１    排水口           
４２      ろ過コア
４３      充填部           
４４      エア流路
４５      液体導入口                     
４６      エア出口
４６１    流通穴
【図１】
0003133012.tif 000003
【図２】
0003133012.tif 000004
【図３】
0003133012.tif 000005
【図４】
0003133012.tif 000006
【図５】
0003133012.tif 000007
【図６】
0003133012.tif 000008